(57)【特許請求の範囲】
【請求項１】
デジタル放送を受信可能な携帯端末について前記携帯端末の状態が正常であるかを確認する前記携帯端末に対する動作状況確認通知の定期的な送信を、前記デジタル放送の記憶開始と同時に開始する録画装置と、
前記動作状況確認通知を受信して前記携帯端末の状態が正常であるかを判断し、前記携帯端末の状態が正常である場合、応答通知を前記録画装置に対して返信する前記携帯端末とを有する録画システムにおいて、
前記録画装置は、前記動作状況確認通知を送信してから前記応答通知を受信するまでの応答時間が所定の時間以内の場合には、該動作状況確認通知の直前の動作状況確認通知を送信してから該動作状況確認通知を送信するまでの確認待ち時間に受信した前記デジタル放送を記憶せず、前記応答時間が前記所定の時間以内でない場合には、前記確認待ち時間に受信した前記デジタル放送を記憶することを特徴とする録画システム。
【請求項２】
請求項１記載の録画システムにおいて、
前記携帯端末の状態が正常でないため、前記携帯端末が前記録画装置へ視聴状態異常通知を送信する場合、
前記録画装置は、前記視聴状態異常通知を受信した時点を含む前記確認待ち時間に受信した前記デジタル放送を記憶する
ことを特徴とする録画システム。
【請求項３】
デジタル放送を受信可能な携帯端末について前記携帯端末の状態が正常であるかを確認する前記携帯端末に対する動作状況確認通知の定期的な送信を、前記デジタル放送の記憶開始と同時に開始する録画装置において、
前記動作状況確認通知の送信後、前記携帯端末から前記携帯端末の状態が正常である時に送信される応答通知を受けて、
前記動作状況確認通知を送信してから前記応答通知を受信するまでの応答時間が所定の時間以内の場合には、該動作状況確認通知の直前の動作状況確認通知を送信してから該動作状況確認通知を送信するまでの確認待ち時間に受信した前記デジタル放送を記憶せず、前記応答時間が前記所定の時間以内でない場合には、前記確認待ち時間に受信した前記デジタル放送を記憶する
ことを特徴とする録画装置。
【請求項４】
請求項３記載の録画装置において、
前記携帯端末の状態が正常でないため、前記携帯端末が前記録画装置へ視聴状態異常通知を送信する場合、
前記視聴状態異常通知を受信した時点を含む前記確認待ち時間に受信した前記デジタル放送を記憶する
ことを特徴とする録画装置。
【請求項５】
デジタル放送を受信可能な携帯端末について前記携帯端末の状態が正常であるかを確認する前記携帯端末に対する動作状況確認通知の定期的な送信を、前記デジタル放送の記憶開始と同時に開始する録画装置と、
前記動作状況確認通知を受信して前記携帯端末の状態が正常であるかを判断し、前記携帯端末の状態が正常である場合、応答通知を前記録画装置に対して返信する前記携帯端末とを有する録画システムにおいて、
前記録画装置は、前記動作状況確認通知を送信する通信部と、
前記動作状況確認通知を前記携帯端末に送信するとともに、前記携帯端末から返信された前記応答通知を受信する際、前記動作状況確認通知を送信してから前記応答通知を受信するまでの応答時間を測定する通信状態監視部と、
前記動作状況確認通知を送信し、前記録画装置の前記動作状況確認通知に対して返信された前記応答通知を受信した際に、前記応答時間が所定の時間以内の場合には、該動作状況確認通知の直前の動作状況確認通知を送信してから該動作状況確認通知を送信するまでの確認待ち時間に受信した前記デジタル放送を記憶せず、前記応答時間が前記所定の時間以内でない場合には、前記確認待ち時間に受信した前記デジタル放送を記憶することを判断する制御部とを備え、
前記携帯端末は、前記動作状況確認通知を受信すると共に、前記応答通知を前記録画装
置に対して返信する通信部と、
前記携帯端末の前記携帯端末の状態が正常であるかを判断する携帯端末状態監視部と、
前記動作状況確認通知を受信した際、前記携帯端末状態監視部によって前記携帯端末の状態が正常であるかを判断し、前記携帯端末の状態が正常である場合、前記応答通知を返信する制御部とを備える
ことを特徴とする録画システム。
【請求項６】
請求項５記載の録画システムにおいて、
前記携帯端末の状態が正常でないため、前記携帯端末が前記録画装置へ視聴状態異常通知を送信する場合、
前記録画装置は、前記視聴状態異常通知を受信した時点を含む前記確認待ち時間に受信した前記デジタル放送を記憶する
ことを特徴とする録画システム。
【発明の詳細な説明】
【技術分野】
【０００１】
本発明は、放送を視聴可能な携帯端末と視聴および録画可能な録画装置とを含む録画システムに関する。
【背景技術】
【０００２】
地上波デジタル放送を受信して録画／視聴する機能を備えた携帯電話機、ＰＤＡ（Ｐｅｒｓｏｎａｌ  Ｄｉｇｉｔａｌ  Ａｓｓｉｓｔａｎｔｓ）等の携帯端末が提案されている。
【０００３】
ところが、地下街等では、地上波デジタル放送が届かないため、これらの携帯端末は、地上波デジタル放送を録画／視聴することが困難となる。
【０００４】
かかる不具合に鑑み、地上波デジタル放送の録画／視聴等ができなくなると、ユーザの操作によって無線データ通信で自宅の機器（録画装置）へ録画指令や送信指令を送り、自宅の機器に録画を指示したり、自宅の機器で受信したデジタル放送を送信させる携帯型視聴装置が開示されている（特許文献１参照）。
【０００５】
【特許文献１】特開２００３−１１０９５５号公報
【発明の開示】
【発明が解決しようとする課題】
【０００６】
しかしながら、従来の技術では、携帯端末が地上波デジタル放送の録画／視聴等ができないという異常を感知し、録画装置へ録画指令を送信しなければ、録画装置は、録画を行わない。即ち、携帯端末が主体となって、録画指令を行うので、携帯端末の電源消耗等で、放送波受信部の受信が不可能になり、その異常を携帯端末状態監視部が感知し、携帯端末が録画装置へ録画指令を送信する場合、携帯端末の電源消耗の度合いによっては、録画装置への録画指令が行われず、録画装置は、録画を実行できない可能性がある。
【０００７】
また、携帯端末で異常、例えば、放送波受信部の受信不良のような異常を感知した上で、携帯端末が録画装置へ録画指令を送信しても、異常感知から録画指令の送信までに時間を要するので、録画装置は、異常によって視聴できなかった部分の一部を録画できない場合もある。
【０００８】
本発明は、上記問題点に鑑みなされたものであって、携帯端末が異常になり、デジタル放送の受信が困難になった場合、携帯端末の異常を録画装置で監視し、デジタル放送の録画を代行する放送録画システムを提供することを目的とする。
【０００９】
また本発明は、携帯端末が異常になり、デジタル放送を視聴できなくなった場合、録画装置が、視聴できなくなった部分を漏れなく録画する録画システムを提供することを目的とする。
【課題を解決するための手段】
【００１０】
本発明の録画システムは、デジタル放送を受信可能な携帯端末について携帯端末の状態が正常であるかを確認する前記携帯端末に対する動作状況確認通知の定期的な送信を、前記デジタル放送の記憶開始と同時に開始する録画装置と、動作状況確認通知を受信して携帯端末の状態が正常であるかを判断し、携帯端末の状態が正常である場合、応答通知を録画装置に対して返信する携帯端末とを有する録画システムであり、録画装置は、動作状況確認通知を送信してから応答通知を受信するまでの応答時間が所定の時間以内の場合には、該動作状況確認通知の直前の動作状況確認通知を送信してから該動作状況確認通知を送信するまでの確認待ち時間に受信したデジタル放送を記憶せず、応答時間が所定の時間以内でない場合には、確認待ち時間に受信したデジタル放送を記憶することを特徴とする。
【発明の効果】
【００１１】
本発明によれば、携帯端末の異常を録画装置で監視するため、携帯端末が異常になり、デジタル放送の受信が困難になった場合でも、録画装置が、デジタル放送の録画を代行することができる。
【００１２】
また、本発明によれば、携帯端末が異常になり、デジタル放送を視聴できなくなった場合、視聴できなくなった部分を漏れなく、録画装置が録画することができる。
【発明を実施するための最良の形態】
【００１３】
本発明を実施するための最良の形態について図面を参照して説明する。図１は、本発明の一実施形態である携帯端末１００および録画装置２００を含む録画システムの概略を説明するための全体構成図を示す。同図において、録画システムは、携帯端末１００および録画装置２００の他、ネットワーク３００、および、表示装置４００を含んで構成される。
【００１４】
携帯端末１００は、テレビなどの放送波を受信することができ、かつ、録画装置との通信機能を有している装置である。具体的には、携帯電話、モバイルＰＣ（Ｐｅｒｓｏｎａｌ  Ｃｏｍｐｕｔｅｒ）、ＰＤＡ（Ｐｅｒｓｏｎａｌ  Ｄｉｇｉｔａｌ  Ａｓｓｉｓｔａｎｔｓ）等である。録画装置２００は、録画機能を搭載したＰＣやビデオレコーダなどで、通信機能を有している装置である。ネットワーク３００は、携帯電話網や無線ＬＡＮ（Ｌｏｃａｌ  Ａｒｅａ  Ｎｅｔｗｏｒｋ）等である。表示装置４００は、録画装置で録画した映像等を表示するものである。
【００１５】
図２は、携帯端末１００の構成を示すブロック図である。図２を参照すると、携帯端末１００は、放送波受信部１１０、通信部１２０、映像表示・音声出力部１４０、携帯端末状態監視部１５０、視聴記録記憶部１６０、操作部１８０、および、制御部１９０を備えている。
【００１６】
放送波受信部１１０は、放送受信アンテナ（不図示）を経由して、デジタル放送を受信しデータを復号する。通信部１２０は、録画装置２００との間でデータ等の送受信を行う。映像表示・音声出力部１４０は、復号した映像、音声を出力する。携帯端末状態監視部１５０は、デジタル放送の受信強度や携帯端末のバッテリ残量などテレビ放送を視聴するために必要な条件の監視を行う。視聴記録記憶部１６０は、視聴中のチャンネルやデジタル放送および録画装置から配信された番組の視聴終了位置等を保存する。操作部１８０は、ユーザの操作を受け付ける。制御部１９０は、携帯端末１００全体を制御する。
【００１７】
図３は、録画装置２００の構成を示すブロックである。図３を参照すると、録画装置２００は、放送波受信部２１０、通信部２２０、外部出力端子２４０、通信状態監視部２５０、予約情報記憶部２６０、録画番組記憶部２８０、および、制御部２９０を備えている。
【００１８】
放送波受信部２１０は、放送受信アンテナ（不図示）を経由して、デジタル放送を受信しデータを復号する。通信部２２０は、携帯端末１００との間でデータ等の送受信を行い、また、インターネット等から各種情報を取得する。外部出力端子２４０は、復号した映像、音声を外付けの表示装置等に出力する。通信状態監視部２５０は、携帯端末１００との通信状態を監視し、例えば、録画装置２００から送信した通知の送信から対応する携帯端末１００の通知の受信までの応答時間を測定する。予約情報記憶部２６０は、録画予約情報を保存する。録画番組記憶部２８０は、デジタル放送の録画データを保存する。制御部２９０は、録画装置２００全体を制御する。
【００１９】
次に、本発明の実施の形態の動作について図４ないし図９を参照して説明する。
【００２０】
図４は、携帯端末１００の動作を示すフローチャートである。図４を参照すると、ユーザによる操作部１８０の操作により、テレビ視聴が開始されると、放送波受信部１１０は、操作部１８０の操作で指定された視聴チャンネルの放送番組を受信する（ステップＳ４００）。
【００２１】
放送番組の視聴が開始されると、制御部１９０は、通信部１２０を経由して、視聴チャンネルおよび視聴開始時刻の情報を含む視聴開始通知を録画装置２００に対して送信する（ステップＳ４１０）。
【００２２】
制御部１９０は、通信部１２０、携帯端末状態監視部１５０、操作部１８０等を管理し、イベントの発生を待ち、生じたイベント毎に適した処理を行うように、図２で示した携帯端末１００の各部に対して指示する。イベントとは、受信チャンネルの変更操作、録画装置２００からの動作状況確認通知の受信、視聴終了の操作等である。各イベントの処理が終了すると、携帯端末１００は、次に発生するイベントを待つため、待機状態になる。（ステップＳ４２０、Ｓ４３０）。
【００２３】
ステップＳ４３０において、ユーザが操作部１８０の操作による視聴チャンネルの変更を行うと、放送波受信部１１０は、操作部１８０の操作で指定された視聴チャンネルの放送番組を受信する。更に、制御部１９０は、通信部１２０に、変更した視聴チャンネルを録画装置２００へ送信させる（ステップＳ４３１）。
【００２４】
ステップＳ４３０において、通信部１２０が録画装置２００から動作状況確認通知を受信すると、制御部１９０は、携帯端末状態監視部１５０によって、デジタル放送受信状態や携帯端末のバッテリ残量などの放送視聴条件が満たされているかを判断する（ステップＳ４３２）。
【００２５】
ステップＳ４３２において、放送視聴条件が満たされている場合、制御部１９０は、録画装置２００に対して正常に視聴中であることを示す応答通知を返信する（ステップＳ４３３）。
【００２６】
ステップＳ４３２において、放送視聴条件が満たされていない場合、即ち、携帯端末状態監視部１５０が、携帯端末１００のデジタル放送の視聴状態に関して異常検出を検知すると、制御部１９０は、通信部１２０を経由して、録画装置２００に対して視聴状態異常通知を送信する（ステップＳ４３４）。
【００２７】
ステップＳ４３０において、ユーザによる操作部１８０への操作により視聴中止が選択された場合、視聴を終了する（ステップＳ４５０）。
【００２８】
図５は、録画装置２００の動作を示すフローチャートである。図５を参照すると、録画装置２００は、ユーザによる操作部（不図示）の操作により起動し、携帯端末１００からの通信が可能となる（ステップＳ５１０）。
【００２９】
制御部２９０は、通信部２２０、通信状態監視部２５０等を管理し、イベントの発生を待ち、生じたイベント毎に適した処理を行うように、図３で示した録画装置２００の各部に対して指示する。イベントとは、携帯端末１００からの視聴開始通知、携帯端末１００からの視聴チャンネルの変更通知、携帯端末１００からの視聴状態異常通知、携帯端末１００からの視聴終了通知等である。各イベントの処理が終了すると、録画装置２００は、次に発生するイベントを待つため、待機状態になる。（ステップＳ５２０、Ｓ５３０）。
【００３０】
ステップＳ５３０において、通信部２２０が、携帯端末１００より視聴チャンネルの情報を受信すると、録画装置２００は、受信した視聴チャンネルの情報を基に、携帯端末１００で視聴されているチャンネルと同じチャンネルの録画を開始する。このときの録画方式は、一定時間経過した録画データは古いものから順次消去されていく録画方式であり、以下「遡り録画」という。なお、遡り録画の詳細については、後述する。また、録画装置２００は、遡り録画を開始すると同時に、携帯端末１００に対するポーリングを開始する。このポーリングは、録画装置２００が携帯端末１００の動作状況等を一定間隔毎に確認するものである（ステップＳ５３１）。
【００３１】
ステップＳ５３０において、携帯端末１００で視聴チャンネルの変更を行った場合、録画装置２００は、通信部２２０を経由して、変更後の視聴チャンネルを受信する。制御部２９０は、変更前のチャンネルの録画を停止し、変更後のチャンネルにおいて遡り録画を開始する。このとき、ステップＳ５３１で説明したポーリングも同様に実行される（ステップＳ５３２、Ｓ５３３）。
【００３２】
ステップＳ５３０において、携帯端末１００から視聴状態異常通知を受信した場合、制御部２９０は、最後に正常受信できていた時刻以降の録画データを消去せずに蓄積する（ステップＳ５３４）。
【００３３】
ステップＳ５３０において、録画装置２００は、遡り録画を開始すると同時に、携帯端末１００に対してポーリングを開始し、このポーリングによって携帯端末１００の動作状況、例えば、放送波受信の動作、を一定間隔毎に確認する。制御部２９０は、通信状態監視部２５０がこの動作状況確認に対する携帯端末１００からの応答を検出した場合、そのまま次のイベントを待つようにする。しかし、通信状態監視部２５０が一定時間内に携帯端末１００からの応答を検出しなかった場合、制御部２９０は、最後に正常受信できていた時刻以降の録画データを消去せずに蓄積する（ステップＳ５３５、Ｓ５３６、Ｓ５３７）。
【００３４】
ステップＳ５３０において、携帯端末１００から視聴終了を受信した場合、録画装置２００は、録画を終了する。（ステップＳ５４０）。
【００３５】
図６は、携帯端末１００および録画装置２００を含む録画システム全体の処理のフローを示したものである。
【００３６】
携帯端末１００は、デジタル放送を受信して視聴を開始すると、通信部１２０を経由して、視聴チャンネルおよび視聴開始時刻の情報を含む視聴開始通知を録画装置２００に対して送信する。携帯端末１００より視聴チャンネルの情報等を受信した録画装置２００は、視聴チャンネルの情報を基に、携帯端末１００で視聴しているチャンネルと同じチャンネルの放送を録画する。このときの録画は、遡り録画による放送データの蓄積である。また、録画装置２００は、遡り録画を開始すると同時に、携帯端末１００に対するポーリングを開始する。このポーリングは、携帯端末１００の動作状況、例えば、放送受信の動作、を一定間隔毎に確認するためのものである（ステップＳ６０１）。
【００３７】
携帯端末１００は、視聴チャンネルの変更を行った場合、通信部１２０を経由して、変更後の視聴チャンネルを録画装置２００に送信する。視聴チャンネルの変更を受信した録画装置２００は、録画しているチャンネルの変更を行う（ステップＳ６０２）。
【００３８】
携帯端末１００の携帯端末状態監視部１５０において、放送波の受信レベルの低下やバッテリ残量の低下など、受信の継続が困難になった状態を検出した場合、携帯端末１００は、視聴記録記憶部１６０に視聴していたチャンネル、異常を検出した時刻を保存するとともに、通信部１２０を経由して視聴状態異常の通知を録画装置２００に送信する。視聴状態異常の通信を受信した録画装置２００は、最後に正常受信を確認できていた過去の時刻以降の録画を確定する。これにより、録画装置２００は、余分なデータを保持しておく必要がなく、録画番組記憶部２８０を効率的に使用することができる。録画装置２００における録画の終了については、インターネット等から電子番組表を取得することにより、番組の終了のタイミングで録画も終了する等で対応する（ステップＳ６０３）。
【００３９】
携帯端末１００に対するポーリングで異常を検出した場合、録画装置２００は、ステップＳ６０３と同様に、正常に視聴を確認できていた過去に遡って録画を確定する。この異常は、携帯端末１００が通信不可能な位置に移動したことによって、携帯端末１００と録画装置２００との間の通信経路自体の異常などが想定される（ステップＳ６０４）。
【００４０】
図７は、遡り録画の処理フローを示すものである。
【００４１】
録画装置２００は、遡り録画を開始すると同時に、携帯端末１００に対するポーリングを開始する。このポーリングは、録画装置２００と携帯端末１００との間で一定間隔毎に行われる。
【００４２】
録画ブロックとは、録画装置２００から携帯端末１００へ動作状況確認通知を一定間隔で送信する間に蓄積される放送データの範囲を示している。
【００４３】
録画ブロック（Ａ）は、録画装置２００から携帯端末１００へ送信される動作状況確認通知（１）から動作状況確認通知（２）までの間に蓄積される放送データである。この動作状況確認通知（１）から動作状況確認通知（２）までの所定の時間を応答待ち時間とする。
【００４４】
なお、携帯端末１００は、動作状況確認通知（１）を受信すると、動作状況を確認し、正常に視聴中であれば、正常視聴中通知（１）を録画装置２００へ送信する。
【００４５】
次に、録画装置２００から携帯端末１００へ動作状況確認通知（２）が送信されると、同時に次の録画ブロック（Ｂ）である放送データの蓄積が開始される。
【００４６】
ここで、録画装置２００は、動作状況確認通知（２）を送信する前に、正常視聴中通知（１）を受信したとき、録画ブロック（Ａ）の放送データを削除する。このように、一定時間経過した録画データは古いものから順次削除していくのである。
【００４７】
また、録画装置２００から携帯端末１００へ送信された動作状況確認通知（５）に対応して、録画装置２００が所定の時間内に正常視聴中通知（５）を受信しない場合、録画ブロック（Ｅ）の放送データは削除せず、録画ブロック（Ｅ）からそれ以降の放送データを蓄積するようにする。詳細に説明すると、正常視聴中通知（５）が録画装置２００に送信されない場合、録画装置２００は、次の動作状況確認通知（６）を携帯端末１００に送信する。即ち、録画装置２００は、正常視聴中通知（５）を受信していないので、その前の録画ブロックの放送データを削除せず、録画ブロック（Ｅ）の放送データを蓄積している状態になる。これが、図５のステップＳ５３４で記述した「最後に正常受信できていた過去の時刻以降の録画を確定する。」という部分に相当する。
【００４８】
なお、録画装置２００と携帯端末１００との通信状態や録画装置２００の録画番組記憶部２８０に応じて、削除する録画ブロックを調整するようにしても良い。例えば、録画ブロック（Ａ）の録画データを削除するタイミングを、録画装置２００から携帯端末１００へ送信された動作状況確認通知（３）に対応して、携帯端末１００から、正常視聴中通信（３）が録画装置２００に送信され、録画装置２００が、正常視聴中通知（３）を受信したときにする等である。即ち、放送データをより多く記憶しておくやり方にも対応できる。
【００４９】
図８や図９は、他の遡り録画の処理フローを示すものである。
【００５０】
図７において、録画装置２００から携帯端末１００へ送信された動作状況確認通知（２）に対応して、携帯端末１００から、正常視聴中通知（２）が録画装置２００に送信され、録画装置２００が、正常視聴中通知（２）を受信したとき、録画ブロック（Ａ）の放送データを削除すると記述した。ここで、録画装置２００が、正常視聴中通知（２）の替わりに、視聴状態異常通知を受信した場合、録画ブロック（Ｂ）の放送データを削除することなく蓄積する（図８参照）。
【００５１】
また、録画装置２００が、正常視聴中通知（２）を受信した後に、視聴状態異常通知を受信した場合、録画ブロック（Ａ）の放送データを削除するが、録画ブロック（Ｂ）以降の放送データを蓄積する（図９参照）。
【００５２】
なお、削除する録画ブロックの調整は、図７で説明した方法が適用できる。
【図面の簡単な説明】
【００５３】
【図１】本発明の録画システムの一実施形態を示す全体構成図。
【図２】同実施形態における携帯端末の構成を示すブロック図。
【図３】同実施形態における録画装置の構成を示すブロック図。
【図４】同実施形態における携帯端末の動作を示すフローチャート。
【図５】同実施形態における録画装置の動作を示すフローチャート。
【図６】同実施形態における携帯端末および録画装置を含む録画システムの全体処理フロー図。
【図７】同実施形態における遡り録画の処理フローを示す図。
【図８】同実施形態における他の遡り録画の処理フローを示す図。
【図９】同実施形態における他の遡り録画の処理フローを示す図。
【符号の説明】
【００５４】
１００  携帯端末
１１０  放送波受信部
１２０  通信部
１４０  映像表示・音声出力部
１５０  携帯端末状態監視部
１６０  視聴記録記憶部
１８０  操作部
１９０  制御部
２００  録画装置
２１０  放送波受信部
２２０  通信部
２４０  外部出力端子
２５０  通信状態監視部
２６０  予約情報記憶部
２８０  録画番組記憶部
２９０  制御部
３００  各種通信手段
４００  表示装置
【図１】
0005037239.tif 000002
【図２】
0005037239.tif 000003
【図３】
0005037239.tif 000004
【図４】
0005037239.tif 000005
【図５】
0005037239.tif 000006
【図６】
0005037239.tif 000007
【図７】
0005037239.tif 000008
【図８】
0005037239.tif 000009
【図９】
0005037239.tif 000010